(57)【要約】【課題】専用の容器を用いなくても一方向に整列される複数の物品にそれぞれ設けられた無線データキャリア同士が干渉するのを確実に防ぐ。【解決手段】保存したデータを無線通信により発信可能な無線データキャリアをそれぞれ一つの面に貼付してなる複数の物品を一方向に整列させる場合において、整列方向に隣り合う物品との間に、無線データキャリア同士が干渉を起こさないことを保障する間隔以上の厚みを有するスペーサを介在させる。【選択図】    図２
2005001692.tif 000002
【特許請求の範囲】
【請求項１】
保存したデータを無線通信により発信可能な無線データキャリアをそれぞれ一つの面に貼付してなる複数の物品を一方向に整列させる物品整列方法において、
整列方向に隣り合う物品との間に、前記無線データキャリア同士が干渉を起こさないことを保障する間隔以上の厚みを有するスペーサを介在させたことを特徴とする物品整列方法。
【請求項２】
保存したデータを無線通信により発信可能な無線データキャリアが貼付される収容装置において、
前記収容装置の表面または裏面に前記無線データキャリアを貼付するための底面を有する凹み部を形成するとともに、
前記収容装置の厚みを、前記無線データキャリア同士が干渉を起こさないことを保障する間隔以上とし、
前記凹み部の奥行きを、前記無線データキャリア同士が干渉を起こさないことを保障する間隔のほぼ半分としたことを特徴とする収容装置。
【請求項３】
保存したデータを無線通信により発信可能な無線データキャリアが貼付される収容装置において、
前記収容装置の表面または裏面における上縁部または下縁部近傍に前記無線データキャリアの貼付エリアを形成し、この貼付エリアの周囲に凸部を設けるとともに、
前記収容装置の厚みと前記凸部の高さを、それぞれ前記無線データキャリア同士が干渉を起こさないことを保障する間隔の半分以上としたこと特徴とする収容装置。
【請求項４】
前記無線データキャリアの貼付エリアが形成された面の当該貼付エリアとは反対側の縁部近傍に、上下が反転された他の収容装置に設けられた前記凸部が挿入可能な凹部を設けたことを特徴とする請求項３記載の収容装置。
【発明の詳細な説明】
【０００１】
【発明の属する技術分野】
本発明は、複数の物品にそれぞれ貼付された各無線データキャリアのデータを一斉に読取るために前記物品を一方向に整列させる際の物品整列方法及び前記無線データキャリアが貼付される封筒等の収容装置に関する。
【０００２】
【従来の技術】
近年、固有の無線ＩＤが設定されるとともに情報の書換可能なメモリエリアを有し、無線を利用して非接触で無線ＩＤの読出しや任意の情報の書込み及び読出しができる無線データキャリアが注目されている。
【０００３】
例えば、書留郵便や小包郵便等の記録扱い郵便物に使用される封筒にそれぞれ固有の無線ＩＤ（ＲＦＩＤ）を有する無線データキャリアを貼付し、この無線データキャリアに当該キャリアが貼付された封筒に対して設定された追跡管理用コードを書込んで記憶させるとともに、郵便物の引受から配達までの各拠点に無線データキャリア認識装置をそれぞれ設置し、各拠点において、それぞれ封筒に貼付された無線データキャリアから追跡管理用コードを読取り認識し、情報センターに通知することによって、記録扱い郵便物の一元的な記録管理と迅速な追跡を可能とするシステムがある。（例えば、特許文献１参照）
無線データキャリア認識装置は送受信アンテナを有しており、このアンテナの交信エリア（感度範囲）内にある全ての無線データキャリアのメモリデータを一括して読取ることができるようになっている。ただし、無線データキャリア同士が重なっていたり近接していたりすると、お互いから発信される電波が干渉を起こしてメモリデータを正しく読み取れなくなる場合がある。
【０００４】
そこで従来、無線データキャリアが貼付された複数の封筒を仕切り部材で囲まれた部屋に一つずつ収容するようにして、各封筒にそれぞれ貼付された無線データキャリア同士が重ならないようにしたキャリアケースがあった。このキャリアケースは、仕切り部材毎に中継用のアンテナを設ける。そして、各部屋にそれぞれ収容された封筒に貼付された無線データキャリアのメモリデータを、その部屋の仕切り部材に設けられた中継用アンテナで中継して読取るものである。（例えば、特許文献２参照）
【０００５】
【特許文献１】
特開平１１−１７５６２１号公報
【０００６】
【特許文献２】
特開２００２−３７４２５
【０００７】
【発明が解決しようとする課題】
このように、封筒等の複数の物品（収容装置）からその各物品にそれぞれ貼付されている無線データキャリアの情報を一斉に精度よく読取るためには、各物品を１つずつ収容するための部屋を有したキャリアケースが必要である上、キャリアケースの各部屋に物品を１つずつ収容しなければならないので、手間がかかっていた。
【０００８】
本発明はこのような事情に基づいてなされたもので、その目的とするところは、キャリアケース等の専用の容器を用いなくても一方向に整列された複数の物品にそれぞれ設けられた無線データキャリア同士が干渉するのを確実に防ぐことができる物品整列方法を提供しようとするものである。
【０００９】
また本発明は、他の同一種装置と重なり合っても各々に設けられた無線データキャリア同士が干渉するおそれがない収容装置を提供しようとするものである。
【００１０】
【課題を解決するための手段】
本発明の物品整列方法は、保存したデータを無線通信により発信可能な無線データキャリアをそれぞれ一つの面に貼付してなる複数の物品を一方向に整列させる方法であって、整列方向に隣り合う物品との間に、無線データキャリア同士が干渉を起こさないことを保障する間隔以上の厚みを有するスペーサを介在させたことにある。
【００１１】
また、本発明の収容装置は、保存したデータを無線通信により発信可能な無線データキャリアが貼付される収容装置であって、その表面または裏面に無線データキャリアを貼付するための底面を有する凹み部を形成するとともに、収容装置の厚みを、無線データキャリア同士が干渉を起こさないことを保障する間隔以上とし、凹み部の奥行きを、無線データキャリア同士が干渉を起こさないことを保障する間隔のほぼ半分としたものである。
【００１２】
【発明の実施の形態】
以下、本発明の実施の形態を図面を用いて説明する。
なお、この実施の形態は、図１３に示すように、書留郵便物や小包郵便物に使用される複数の封筒１にそれぞれ貼付された無線タグ２のメモリデータを無線タグリーダ３で一括して読取るために、各封筒１を束ねて一列に整列させる場合に本発明を適用したものである。
【００１３】
ここで、封筒１は、現金や荷物等の被収容物を収容するための収容装置の一種である。
【００１４】
また、無線タグ２は、保存したデータを無線通信により発信可能な無線データキャリアの一種であり、送受信可能なタグアンテナとＬＳＩチップとを基板に一体形成した独立の部品である。ＬＳＩチップには、タグアンテナで受信した変調電波の整流と安定化を行なうことによりＬＳＩチップの各部に電源を供給する電源生成部、上記変調電波を復調して制御部へ送出する復調部、制御部から送出されたデータを変調してタグアンテナに送出する変調部、復調部で復調されたデータのメモリへの書込みやメモリから送信データを読み出して変調部へ送出する制御部及びメモリが設けられている。メモリは、当該無線タグ２の製造段階で製造業者により割当てられ設定された固有の無線ＩＤ（ＲＦＩＤ）を記憶する無線ＩＤエリアと、ユーザが任意のデータを書込むことができるユーザエリアとからなる。本実施の形態では、ユーザエリアには当該無線タグ２が貼付された封筒固有の追跡管理用コードが記憶される。
【００１５】
無線タグリーダ３は、送受信アンテナ４を具備しており、この送受信アンテナ４の交信エリア内にある全ての無線タグ２のメモリデータを非接触で読取ることが可能である。無線タグリーダ３は、例えばパソコン等の上位装置に接続されるインタフェース部と、ＣＰＵ，ＲＯＭ，ＲＡＭ等で構成される制御部と、制御部から与えられるデータを無線通信に適した変調信号に変調する変調部と、変調信号を増幅して送受信アンテナ４から電波として放射させる送信アンプと、送受信アンテナ４で受信した電波信号を増幅する受信アンプと、増幅された電波信号からデータを復調して制御部に与える復調部とから構成されている。
【００１６】
はじめに、図１〜図４を用いて、第１の実施の形態について説明する。
図１は封筒１の外観図であって、同図（ａ）は封筒１を裏面側から見た平面図であり、同図（ｂ）は同図（ａ）の封筒１を左側から見た側面図である。封筒１の裏面には、当該封筒１の追跡管理用コードを記憶するための無線タグ２が貼り付けられるとともに、この無線タグ２の略中央部にスペーサ５が取り付けられている。
【００１７】
スペーサ５は、当該スペーサ５が取り付けられている封筒１に貼り付けられている無線タグ２と、他の封筒１に貼り付けられている無線タグ２とが接近しないように間隔を保つためのもので、例えば硬質プラスチックや木材等の硬質部材によって形成されている。ただし、金属は無線通信に支障を来たすので、スペーサ５の材質からは除かれる。
【００１８】
スペーサ５の厚みｄは、近接する無線タグ２同士が干渉を起こさないことを保障する間隔Ｄ以上としている。この保障間隔Ｄは、封筒１に貼付される無線タグ２の仕様等によって定まるものであり、通常１０〜２０ｍｍ程度である。
【００１９】
このように、封筒１に貼り付けられた無線タグ２に、さらにスペーサ５を取り付けることによって、図２に示すように、２通の封筒１Ａ，１Ｂを同一の向きに重ねて整列させた場合には、整列方向に隣り合う封筒１Ａ，１Ｂとの間に、無線タグ２同士が干渉を起こさないことを保障する間隔Ｄ以上の厚みｄを有するスペーサ５が介在されるので、封筒１Ａに貼り付けられた無線タグ２Ａと封筒１Ｂに貼り付けられた無線タグ２Ｂとが干渉を起こすことはない。したがって、これらの封筒１Ａ，１Ｂにそれぞれ貼付された無線タグ２Ａ，２Ｂのメモリデータを無線タグリーダ３によって精度よく一括読取りすることができる。
【００２０】
また、図３に示すように、一方の封筒１Ａの裏面と他方の封筒１Ｂの裏面とを向き合わせた状態で束ねた場合には、スペーサ５は無線タグ２の略中央部に取り付けられているので、お互いのスペーサ５同士が当接する。これにより、封筒１Ａに貼り付けられた無線タグ２Ａと封筒１Ｂに貼り付けられた無線タグ２Ｂとの間隔はスペーサ５の厚みｄの２倍に拡がるので、やはり、無線タグ２Ａ，２Ｂ同士の干渉を防ぐことができる。なお、スペーサ５が無線タグ２の中央部より左右どちらかにずらして取り付けられており、スペーサ５同士が当接しなくても、一方の無線タグ２Ａと他方の無線タグ２Ｂとの間隔はスペーサ５の厚みｄ未満になることはないので、問題はない。
【００２１】
また、図４に示すように、一方の封筒１Ａに対して他方の封筒１Ｂを上下反転させた状態でお互いの裏面同士を向き合わせて束ねた場合でも、無線タグ２Ａ，２Ｂは各封筒１Ａ，１Ｂのそれぞれ下縁部側に取り付けられているので、一方の無線タグ２Ａと他方の無線タグ２Ｂとの間隔Ｘは、保障間隔Ｄよりも充分に広いものとなる。なお、無線タグ２Ａ，２Ｂが各封筒１Ａ，１Ｂの長手方向に対して略中央部に貼り付けられていた場合でも、一方の封筒１Ａに対して他方の封筒１Ｂを上下反転させた状態でお互いの裏面同士を向き合わせて束ねた際には、図２または図３に示したように、無線タグ２Ａ，２Ｂの間にスペーサ５が介在されて、その間隔が保障間隔Ｄ以上の間隔ｄまたは２ｄに維持されるので、問題はない。
【００２２】
このように第１の実施の形態によれば、整列方向に隣り合う封筒１Ａ，１Ｂとの間に、無線タグ２Ａ，２Ｂ同士が干渉を起こさないことを保障する間隔Ｄ以上の厚みｄを有するスペーサ５を介在させたので、無線タグ２Ａ，２Ｂ同士が干渉するのを確実に防ぐことができ、無線タグリーダ３による無線タグ２の一括読取り精度を充分に高めることができる。
【００２３】
なお、この第１の実施の形態において、無線タグ２が貼付される物品を封筒１としたが、本発明は、封筒１以外の無線データキャリアが付される物品を一方向に整列させる場合にも同様に適用できるものである。
【００２４】
また、この第１の実施の形態において、スペーサ５は、その形状を直方体としたが、その形状は特に限定されるものではなく、例えば円柱状等であってもよい。また、スペーサ５の数は１つに限定されるものではなく、２つ以上を取り付けてもよい。また、スペーサ５の取付部位は無線タグ２の上に限定されるものではなく、例えば無線タグ２の左右両脇に一対のスペーサをそれぞれ取り付けてもよい。また、封筒１の裏面でなく表面に無線タグ２を貼り付け、その近傍にスペーサ５を取り付けても同様な作用効果を奏することは言うまでもないことである。
【００２５】
次に、図５〜図８を用いて、第２の実施の形態について説明する。
図５は第２の実施の形態における封筒１１の外観図であって、同図（ａ）は封筒１１を裏面側から見た斜視図であり、同図（ｂ）は同図（ａ）の封筒１１を左側から見た側面図である。封筒１１の裏面には、その下縁部側に台形状の凹み部１２が形成されており、この凹み部１２の底面に当該封筒１１の追跡管理用コードを記憶するための無線タグ２が貼り付けられている。
【００２６】
封筒１１は、所定の厚みＧが維持されるように、比較的硬質の部材、例えばダンボールやプラスチック等によって成型されている。ここで、封筒１１の厚みＧは、無線タグ２同士が干渉を起こさないことを保障する間隔Ｄ以上に設定されている。
【００２７】
また、凹み部１２は、その奥行きＨが前記保障間隔Ｄの略半分Ｄ／２に設定されている。
【００２８】
このように、所定の厚みＧを有する封筒１１の裏面に無線タグ２を貼付するための底面を有する凹み部１２を形成し、封筒１１の厚みＧを前記保障間隔Ｄ以上に設定するとともに、凹み部１２の奥行きＨを保障間隔Ｄの略半分に設定したので、図６に示すように、２通の封筒１１Ａ，１１Ｂを同一の向きに重ねて整列させた場合には、一方の封筒１１Ａの凹み部１２に貼り付けられた無線タグ２Ａと、他方の封筒１１Ｂの凹み部１２に貼り付けられた無線タグ２Ｂとの間隔は、凹み部１２の奥行きＨに封筒１１Ｂの凹み部１２における厚みｇを加算した間隔となる。ここで、厚みｇは、封筒１１Ｂの厚みＧから凹み部１２の奥行きＨを引いた値であり、封筒１１の厚みＧが保障間隔Ｄ以上であり、かつ凹み部１２の奥行きＨが保障間隔Ｄの略半分なので、厚みｇは保障間隔Ｄの半分以上となる。したがって、一方の封筒１１Ａの凹み部１２に貼り付けられた無線タグ２Ａと、他方の封筒１１Ｂの凹み部１２に貼り付けられた無線タグ２Ｂとの間隔は、保障間隔Ｄ以上となるので、無線タグ同士が干渉を起こすことはない。
【００２９】
また、図７に示すように、一方の封筒１１Ａの裏面と他方の封筒１１Ｂの裏面とを向き合わせた状態で束ねた場合には、お互いの凹み部１２の開口が接合する。これにより、封筒１１Ａに貼り付けられた無線タグ２Ａと封筒１１Ｂに貼り付けられた無線タグ２Ｂとは向き合うが、その間隔は凹み部１２の奥行きＨの２倍となるので、保障間隔Ｄが保たれる。したがって、この場合も無線タグ同士が干渉を起こすことはない。
【００３０】
さらに、図８に示すように、一方の封筒１１Ａに対して他方の封筒１１Ｂを上下反転させた状態でお互いの裏面同士を向き合わせて束ねた場合には、無線タグ２Ａ，２Ｂは各封筒１１Ａ，１１Ｂのそれぞれ下縁部側に取り付けられているので、一方の無線タグ２Ａと他方の無線タグ２Ｂとの間隔Ｘは、保障間隔Ｄよりも充分に広いものとなる。
【００３１】
このように、第２の実施の形態においても、整列方向に隣り合う封筒１１Ａ，１１Ｂにそれぞれ貼付された無線タグ２Ａ，２Ｂの間隔が保障間隔Ｄ未満になることがないので、無線タグ２Ａ，２Ｂ同士が干渉するのを確実に防ぐことができ、無線タグ２の一括読取り精度を充分に高めることができる。
【００３２】
なお、この第２の実施の形態において、凹み部１２の形状を台形としたが、形状は特に限定されるものではなく、その底面に無線タグ２を貼り付けるためのエリアを確保できる形状であればよい。
【００３３】
また、凹み部１２を形成する位置も封筒１１の下縁部近傍に限定されるものではなく上縁部近傍であってもよいし、略中心部であってもよい。略中心部に凹み部１２を形成した場合、一方の封筒１１Ａに対して他方の封筒１１Ｂを上下反転させた状態でお互いの裏面同士を向き合わせて束ねた際には、上下反転させずに裏面同士を重ねた場合と同様に、お互いの凹み部１２の開口が接合するが、この場合においても、無線タグ２Ａ，２Ｂの間隔は保障間隔Ｄが保たれるので、問題はない。また、封筒１１の裏面でなく表面に凹み部１２を形成しても同様な作用効果を奏することは言うまでもないことである。
【００３４】
次に、図９〜図１２を用いて、第３の実施の形態について説明する。
図９は第３の実施の形態における封筒２１の外観図であって、同図（ａ）は封筒２１を裏面側から見た斜視図であり、同図（ｂ）は同図（ａ）の封筒２１を左側から見た側面図である。封筒２１の裏面には、その下縁部近傍に当該封筒２１の追跡管理用コードを記憶するための無線タグ２の貼付エリア２２が形成されている。また、貼付エリア２２の左右両側部には、直方体状をなす一対の凸部２３，２４が設けられている。さらに、この凸部２３，２４と同一面の上縁部近傍には、前記一対の凸部２３，２４と同一形状でかつ他の封筒２１に設けられた凸部２３，２４が挿入可能な凹部２５，２６が形成されている。
【００３５】
封筒２１は、所定の厚みＧ´を有するように、比較的硬質の部材、例えばダンボールやプラスチック等によって成型されている。ここで、封筒２１の厚みＧ´は、無線タグ２同士が干渉を起こさないことを保障する間隔Ｄの半分以上に設定されている。
【００３６】
一方の凸部２３との凹部２６とは、封筒２１の裏面の中心点Ｏに対して点対称の位置に形成されている。同様に、他方の凸部２４と凹部２５とは、中心点Ｏに対して点対称の位置に形成されている。各凸部２３，２４の高さＭは、無線タグ２同士が干渉を起こさないことを保障する間隔Ｄの半分以上に設定されている。ただし、封筒２１の厚みＧ´よりは小さく設定されている。一方、各凹部２５，２６の深さＮは、各凸部２３，２４の高さＭに一致するように設定されている。
【００３７】
このように、封筒２１の裏面の下縁部近傍に無線タグ２の貼付エリア２２を形成し、この貼付エリア２２の左右両側に一対の凸部２３，２４を設けるとともに、封筒２１の厚みＧ´と各凸部２３，２４の高さＭを、それぞれ無線タグ同士が干渉を起こさないことを保障する間隔Ｄの半分以上に設定したので、図１０に示すように、２通の封筒２１Ａ，２１Ｂを同一の向きに重ねて整列させた場合には、一方の封筒２１Ａの裏面の貼付エリア２２に貼り付けられた無線タグ２Ａと、他方の封筒１１Ｂの裏面の貼付エリア２２に貼り付けられた無線タグ２Ｂとの間隔Ｑは、凸部２３，２４の高さＭに封筒２１Ｂの厚みＧ´を加算した間隔となる。したがって、一方の封筒２１Ａに貼り付けられた無線タグ２Ａと、他方の封筒２１Ｂに貼り付けられた無線タグ２Ｂとの間隔は、保障間隔Ｄ以上に保たれるので、無線タグ同士が干渉を起こすことはない。
【００３８】
また、図１１に示すように、一方の封筒２１Ａの裏面と他方の封筒２１Ｂの裏面とを向き合わせた状態で束ねた場合には、お互いの凸部２３，２４同士が接合する。これにより、封筒２１Ａに貼り付けられた無線タグ２Ａと封筒２１Ｂに貼り付けられた無線タグ２Ｂとは向き合うが、その間隔Ｒは凸部２３，２４の高さＭの２倍となるので、保障間隔Ｄが確保される。したがって、この場合も無線タグ同士が干渉を起こすことはない。
【００３９】
また、本実施の形態では、封筒１１の裏面側における上縁部近傍に、一対の凸部２３，２４と同一形状でかつ他の封筒２１に設けられた凸部２３，２４が挿入可能な凹部２５，２６を形成している。これにより、図１２に示すように、一方の封筒２１Ａに対して他方の封筒２１Ｂを上下反転させた状態でお互いの裏面同士を向き合わせて束ねた場合には、一方の封筒２１Ａの凸部２３，２４が他方の封筒２１Ｂの凹部２６，２５に挿入されるとともに、他方の封筒２１Ｂの凸部２３，２４が一方の封筒２１Ａの凹部２６，２５に挿入される。したがって、２通の封筒２１Ａ，２１Ｂは、裏面同士が重なり合った状態で保持される。そして、この場合も、両封筒２１Ａ，２１Ｂには、無線タグ２の貼付エリア２２が各封筒２１Ａ，２１Ｂの下縁部近傍に形成されているので、一方の無線タグ２Ａと他方の無線タグ２Ｂとの間隔Ｘは、保障間隔Ｄよりも充分に広いものとなる。
【００４０】
このように、第３の実施の形態においても、整列方向に隣り合う封筒２１Ａ，２１Ｂにそれぞれ貼付された無線タグ２Ａ，２Ｂの間隔が保障間隔Ｄ未満になることがないので、無線タグ２Ａ，２Ｂ同士が干渉するのを確実に防ぐことができ、無線タグ２の一括読取り精度を充分に高めることができる。しかも、一方の封筒２１Ａに対して他方の封筒２１Ｂを上下反転させた状態でお互いの裏面同士を向き合わせて束ねることによって、両封筒２１Ａ，２１Ｂの無線タグ２Ａ，２Ｂが干渉するのを防ぐことができる上、凸部２３，２４の高さ分が凹部２４，２５によって吸収されるので、封筒２１の厚みＧ´分のみを重ねた厚さで複数通の封筒２１を束ねることができる。
【００４１】
なお、この第３の実施の形態において、凸部２３，２４及び凹部２５，２６の形状を直方体状としたが、形状は特に限定されるものではなく、凸部２３，２４が凹部２５，２６に挿入可能であればよい。
【００４２】
また、この実施の形態では一対の凸部２３，２４を無線タグ貼付エリア２２の両側部に設けたが、凸部の設置場所は、無線タグ貼付エリア２２の周囲であればよい。また、その数も２個に限定されるものではなく、１つであってもよいし、３つ以上であってもよい。また、封筒２１の表面に貼付エリア２２，凸部２３，２４及び凹部２５，２６を設けても同様な作用効果を奏することは言うまでもないことである。
【００４３】
また、この実施の形態では、封筒２１の形状をその側面が長方形となるものとしたが、封筒の形状は特に限定されるものではなく、例えば側面を三角形状としたものや、Ｌ字型形状としたものであっても、同様に構成することができる。
【００４４】
なお、第２及び第３の実施の形態においては、封筒１１，２１に本発明を適用した場合について説明したが、収容装置は封筒に限定されるものではなく、例えばダンボール箱に無線データキャリアを貼付するような場合にも、第２及び第３の実施の形態と同様にして実施できるものである。
【００４５】
【発明の効果】
以上詳述したように本発明によれば、専用の容器を用いなくても一方向に整列された複数の物品，例えば封筒，ケース等の収容装置にそれぞれ設けられた無線データキャリア同士が干渉するのを確実に防ぐことができる。
【図面の簡単な説明】
【図１】本発明の第１の実施の形態である封筒を示す平面図及び側面図。
【図２】同第１の実施の形態における２通の封筒を同一の向きに重ねて整列させたときの状態図。
【図３】同第１の実施の形態における２通の封筒を向き合わせた状態で束ねたときの状態図。
【図４】同第１の実施の形態における２通の封筒を一方に対して他方を上下反転させた状態で束ねたときの状態図。
【図５】本発明の第２の実施の形態である封筒を示す斜視図及び側面図。
【図６】同第２の実施の形態における２通の封筒を同一の向きに重ねて整列させたときの状態図。
【図７】同第２の実施の形態における２通の封筒を向き合わせた状態で束ねたときの状態図。
【図８】同第２の実施の形態における２通の封筒を一方に対して他方を上下反転させた状態で束ねたときの状態図。
【図９】本発明の第３の実施の形態である封筒を示す斜視図及び側面図。
【図１０】同第３の実施の形態における２通の封筒を同一の向きに重ねて整列させたときの状態図。
【図１１】同第３の実施の形態における２通の封筒を向き合わせた状態で束ねたときの状態図。
【図１２】同第３の実施の形態における２通の封筒を一方に対して他方を上下反転させた状態で束ねたときの状態図。
【図１３】無線タグの情報読取りの概念を示す模式図。
【符号の説明】
１，１１，２１…封筒、２…無線タグ、３…無線タグリーダ、４…送受信アンテナ、５…スペーサ、１２…凹み部、２２…無線タグ貼付エリア、２３，２４…凸部、２５，２６…凹部。
【図１】
2005001692.tif 000003
【図２】
2005001692.tif 000004
【図３】
2005001692.tif 000005
【図４】
2005001692.tif 000006
【図５】
2005001692.tif 000007
【図６】
2005001692.tif 000008
【図７】
2005001692.tif 000009
【図８】
2005001692.tif 000010
【図９】
2005001692.tif 000011
【図１０】
2005001692.tif 000012
【図１１】
2005001692.tif 000013
【図１２】
2005001692.tif 000014
【図１３】
2005001692.tif 000015